(57)【要約】【課題】容器内部を覗き込み液面高さを確認しなくても漏斗への液体の注入が行え、容器へ注入作業中に液体がオーバーフローして溢れ出ることを防止し、容器に適量注入できる詰め替え容器を提供すること。【解決手段】液体を注入可能に上面が開口した漏斗壁２１を有し、該漏斗壁２１から連設され、容器４の口筒部４３内に挿入自在である導出部２４を有する漏斗体２と、該容器４内の液体により浮力を受けるフロート胴部３１を有するフロート体３を備え、該漏斗体２は、該導出部２４から延設された支持部材２６を有し、該支持部材２６上にフロート体３が配設されている詰め替え容器。【選択図】図３
2018203312.tif 000002
【特許請求の範囲】
【請求項１】
液体を注入可能に上面が開口した漏斗壁（２１）を有し、該漏斗壁（２１）から連設され、容器（４）の口筒部（４３）内に挿入自在である導出部（２４）を有する漏斗体（２）と、
該容器（４）内の液体により浮力を受けるフロート胴部（３１）を有するフロート体（３）を備え、
該漏斗体（２）は、該導出部（２４）から延設された支持部材（２６）を有し、該支持部材（２６）上にフロート体（３）が配設されている
ことを特徴とする詰め替え容器。
【請求項２】
前記漏斗体（２）は、前記漏斗壁（２１）の下端部近傍から外鍔状の外フランジ部（２３）を有し、前記導出部（２４）の内面から複数の前記支持部材（２６）を延設し、該支持部材（２６、２６）間に、該漏斗壁（２１）の内面に溜まった液体を流入させる導入口（２５）を設けており、該支持部材（２６）の内面には、円筒状のフロート胴部（３１）が配置され、
該フロート胴部（３１）の上端のフロート天板（３２）は外鍔状のフランジ部を有している請求項１に記載の詰め替え容器。
【請求項３】
前記漏斗体（２）は、該導出部（２４）上端部の導出頂壁（２４）の下面から連結片（２８）を設けており、
前記フロート体（３）は、前記フロート胴部（３１）の上部に軸部材（３４）を有し、フロートキャップ（３３）を該軸部材（３４）の上部外面に嵌合させ、該フロートキャップ（３３）の下端部を前記支持部材（２６）の上端面に載置する請求項１に記載の詰め替え容器。
【請求項４】
前記漏斗壁（２１）に段差部（２２）を設けている請求項１〜３のいずれかに記載の詰め替え容器。
【請求項５】
前記軸部材（３４）が、板部材を交差させた平面視で略十字状の形状である請求項１、３及び４に記載の詰め替え容器。
【請求項６】
前記導出部（２４）の下端開口の流出口（２４ａ）は、前記フロート胴部（３１）の上端部と該導出部（２４）の下端部が当接することにより閉塞される請求項１、３、４及び５に記載の詰め替え容器。
【発明の詳細な説明】
【技術分野】
【０００１】
本発明は、容器内に液体を注ぎ入れた際に容器から液体が溢れ出ることを防止することができる詰め替え容器に関するものである。
【背景技術】
【０００２】
従来から、小容量容器に入っていた液体が不足してきた時に、詰め替え容器に入っている液体を移し入れるため、小容量容器の開口部に漏斗を差し込み、漏斗に液体を注ぐことで容器に注入していた（例えば、特許文献１参照）。
【０００３】
しかしながら、一般に小容量容器の口筒部は径が小さいことから、小容量容器が不透明であると径の小さな口筒部から内部を覗いて液面高さを確認することは難しく、また容器が小容量なため漏斗に液体を注ぎ過ぎると、口筒部から液体がオーバーフローして溢れ出てしまう。そのため、溢れ出ないように少量ずつ液体を注ぐなど作業性が低いものとなってしまう。
【先行技術文献】
【特許文献】
【０００４】
【特許文献１】特開２０１４−２３４２０９号公報
【発明の概要】
【発明が解決しようとする課題】
【０００５】
本発明の目的は、容器内部を覗き込み液面高さを確認しなくても漏斗への液体の注入が行え、容器へ注入作業中に液体がオーバーフローして溢れ出ることを防止し、容器に適量注入できる詰め替え容器を提供することである。
【課題を解決するための手段】
【０００６】
上記課題を解決するため、本発明の詰め替え容器の主たる構成は、
液体を注入可能に上面が開口し、下方に向かって縮径した漏斗壁を有し、該漏斗壁から連設され、容器の口筒部内に挿入自在である導出部を有する漏斗体と、
該容器内の液体により浮力を受けるフロート胴部を有するフロート体を備え、
該漏斗体は、該導出部から延設された支持部材を有し、該支持部材上にフロート体が配設されている
ことを特徴とする。
【０００７】
上記主たる構成では、液体の注入を続けると浮力を受けたフロート胴部が上昇し、間接的に液面高さ確認できるため、容器内部を覗き込み液面高さを確認しなくよいため作業性が良好である。
【０００８】
また、本発明の他の構成は、漏斗体が漏斗壁の下端部近傍から外鍔状の外フランジ部を有し、導出部の内面から複数の支持部材を延設しており、該支持部材間に、該漏斗壁の内面に溜まった液体を流入させる導入口を設けており、該支持部材の内面には、円筒状のフロート胴部が配置され、該フロート胴部の上端のフロート天板は外鍔状のフランジ部を有しているものである。
【０００９】
液体の注入を続け液面高さがフロートキャップの底壁部の高さを超えると、フロート体に浮力が生じて、フロート体は徐々に上昇し始め、フロート体の上端のフロート天板が、ある一定の高さまで上昇すると、液体は適量注がれた状態となったと判断できるため、液体が溢れ出ることを防止することができる。
【００１０】
また、本発明の他の構成は、漏斗体が導出部上端部の導出頂壁の下面から連結片を設けており、前記フロート体は、前記フロート胴部の上部に軸部材を有し、フロートキャップを該軸部材の上部外面に嵌合させ、該フロートキャップの下端部を前記支持部材の上端面に載置することが可能であるものである。
【００１１】
液体の注入を続けると浮力を受けたフロート体が上昇することで、フロートキャップの高さ位置で間接的に液面高さ確認でき、容器内部を覗き込みなくよいため作業性が良好である。
【００１２】
また、本発明の他の構成は、漏斗壁に段差部を設けているものである。
【００１３】
段差部の設置位置を変更することによって、容器に溜める液量を適宜変更できるため、容器から液体が溢れ出ることを防止することができる。
【００１４】
また、本発明の他の構成は、軸部材が板部材を交差させた平面視で略十字状の形状であるものである。
【００１５】
略十字状を形成する板部材に沿って液体が流下するため安定した注入を行うことができる。
【００１６】
また、本発明の他の構成は、導出部の下端開口の流出口がフロート胴部の上端部と導出部の下端部が当接することにより閉塞されるものである。
【００１７】
液体の注入を続けフロート胴部に浮力が生じて、フロート体が上昇し続けると、フロート胴部の上端部と導出部の下端部は密に当接し、これによって流出口は閉塞された状態となり液体の注入が一時的に停止し、漏斗壁内面に液体が溜まり、その後、詰め替え容器を持ち上げることで流出口が再び開口し、液体は注入される。容器内部を覗き込み液面高さを確認しなくても容器に適量注入することが可能である。
【発明の効果】
【００１８】
本発明は、上記した構成となっているので、以下に示す効果を奏する。
本発明においては、容器内部を覗き込み液面高さを確認しなくても漏斗への液体の注入が行え、容器へ液体が適量注入できた状態になったことを上昇してきたフロートが知らせるため、容器から液体が溢れることを防止することができる。
【図面の簡単な説明】
【００１９】
【図１】本発明の第１の実施形態の詰め替え容器の正面縦断面図である。
【図２】第１の実施形態に用いられる詰め替え容器の平面図である。
【図３】第１の実施形態の詰め替え容器を用いて液体を必要量注いだ時の正面縦断面図である
【図４】本発明の第２の実施形態で用いられるキャップ付き容器の正面縦断面図である。
【図５】図４におけるキャップ体の拡大縦断面図である。
【図６】本発明の第２の実施形態の詰め替え容器の、液体の注入開始直後の正面縦断面図である。
【図７】本発明の第２の実施形態において、フロート体に浮力が生じ流出口が塞がった時の正面縦断面図である。
【図８】本発明の第２の実施形態において、漏斗体内の残液を注入している時の正面縦断面図である。
【発明を実施するための形態】
【００２０】
以下、本発明の実施形態について図面を参照しつつ説明する。
図１は本発明の第１の実施形態の詰め替え容器の正面縦断面図であり、図２は第１の実施形態に用いられる詰め替え容器の平面図であり、図３は第１の実施形態の詰め替え容器を用いて液体を必要量注いだ時の正面縦断面図である。
【００２１】
本実施形態の詰め替え容器６は、容器４とその容器に取り付け可能なフロート付き漏斗状部材１を有し、フロート付き漏斗状部材１は漏斗体２とフロート体３からなり、容器４は胴部４１の上端から肩部４２を介して口筒部４３を起立設し、その口筒部４３の外周面にネジ部４４を刻設している。なお、容器４は、内容物（液体等）を収容可能な形態であればどのような構造であっても構わない。
【００２２】
漏斗体２は、液体Ｌを注入可能に上面が開口しており、液体Ｌが流下可能に下方に向かって縮径している逆円錐状の漏斗壁２１を有し、液体Ｌを排出する導出部２４を備えている。漏斗壁２１は、下方に向かって縮径する構造であればよく、例えば、傾斜面と垂直面の組み合わせ、階段状に縮径する構造が挙げられる。漏斗壁２１と導出部２４との間には、図２に示される様に一対の段差部２２が設けられている。漏斗壁２１の下端部近傍からは外鍔状の外フランジ部２３を設けられており、外フランジ部２３は口筒部４３の上端面に載置することができる。導出部２４の内面から、複数の支持部材２６が梁状に延設しており、支持部材２６、２６間には導入口２５が開口している。支持部材２６は、中心部に略円形状の開口部を有するリング部材２７を有している。
【００２３】
フロート体３は、リング部材２７の内面に収まる円筒状のフロート胴部３１を備えている。フロート胴部３１の上端部には外鍔状のフランジ部を有するフロート天板３２を備え、フロート胴部３１の下端部には、下端開口を有し、該下端開口内に円筒状の周壁部３３ａの下端に外鍔状のフランジ部を有する底壁部３３ｂを連設したフロートキャップ３３を嵌合している。
【００２４】
次に、第１の実施形態による詰め替え容器６の使用方法を説明する。
容器４の口筒部４３内にフロート体３及び導出部２４を挿入し、外フランジ部２３の下面を口筒部４３の上端面に載置してフロート付き漏斗状部材１が安定した状態で、漏斗体２の開口から液体Ｌを漏斗壁２１上に注入する。漏斗体２に液体Ｌを注入すると、液体Ｌは導入口２５を経由し導出部２４から容器４の内部に注がれる。
【００２５】
液体Ｌの注入を続け容器４内の液面が、フロートキャップ３３の底壁部３３ｂの高さ以上になると、フロート体３に浮力が生じて、フロート体３は徐々に上昇し始める。フロート体３の上端のフロート天板３２が、図３に示される様に、漏斗体２の段差部２２の高さまで上昇すると、液体Ｌは適量注がれた状態となったと判断できる。この様に、フロート体３の浮き上がり量の目安として、漏斗体２に段差部２２を設けて液面高さを判断することができる。
【００２６】
この様に第１の実施形態においては、液体Ｌが注がれて容器４内の液面が上がると、浮力によりフロート体３が浮き上がり、その浮き上がり量によって容器４内の液面高さが判るようになっているため、口筒部４３から液体Ｌが溢れ出ることを防止することができ、そして容器４内部を覗き込み液面高さを確認しなくよいため、作業性が良好である。特に不透明な容器４に内容物（液体等）を注ぐ際に有効である。
【００２７】
図４〜図８は詰め替え容器６の第２の実施形態を示すものである。なお、図４〜図６においては、前述した部材に対応する部材には同一の符号を付してある。
【００２８】
図４は、第２の実施形態で用いられるキャップ付き容器の正面縦断面図である。第２の実施形態においては、容器４の口筒部４３に係止凹部４５を設けて、キャップ体５の下端のキャップ係止凸部５３ｂとアンダーカット状に嵌合している。なお、口筒部４３及びキャップ体５に、それぞれネジ部を設けてネジ嵌合させる構成としても構わない。
【００２９】
キャップ体５は、上方から順に上段キャップ５１、中段キャップ５２及び下段キャップ５３から構成され、これらはそれぞれヒンジ部５４を介し、上段キャップ５１と中段キャップ５２は第１ヒンジ部５４ａ、中段キャップ５２と下段キャップ５３は第２ヒンジ部５４ｂで連設する構成となっている。第１ヒンジ部５４ａと第２ヒンジ部５４ｂは、対向位置に設けられている。なお、対向位置ではなく、９０度ずらした位置等、任意の位置に設けることができる。第１ヒンジ部５４ａを介して上段キャップ５１を開蓋すると、小口径筒部５５ａの開口部は吐出口５７となり、一方、第２ヒンジ部５４ｂを介して中段キャップ５２を開蓋すると、大口径筒部５５ｂの開口部は詰め替え口５６となる。中段キャップ５２を開蓋するとき、外側に突出した第１ヒンジ部５４ａを操作部として使用することができる。
【００３０】
図５に示される様に、下段キャップ５３のキャップ周壁５３ａの下方内面には、キャップ係止凸部５３ｂが突設しており、係止凹部４５とアンダーカット状に嵌合している。キャップ周壁５３ａの上部内周面からフランジ壁５３ｅを介して大口径筒部５５ｂが起立設し、フランジ壁５３ｅの下面から口筒部４３の内周面に密に接して気密性を高める短円筒状のシール筒片５３ｃが垂下設している。キャップ周壁５３ａの上部外周面には、キャップ係止凹部５３ｄが設けられている。
【００３１】
中段キャップ５２のキャップ周壁５２ａの下方内周面には、キャップ係止凹部５３ｄに嵌合するキャップ係止凸部５２ｂが設けられている。キャップ周壁５２ａの上部内周面からフランジ壁５２ｅを介して小口径筒部５５ａが起立設し、フランジ壁５２ｅの下面から大口径筒部５５ｂの外周面に係合する短円筒状のシール筒片５２ｃが垂下設している。フランジ壁５２ｅの下端面は、シール突部５２ｆが設けられ、大口径筒部５５ｂの上端面に当接している。キャップ周壁５２ａの上部外周面には、キャップ係止凹部５２ｄが設けられている。
【００３２】
上段キャップ５１のキャップ周壁５１ａの下方内面には、キャップ係止凹部５２ｄに嵌合するキャップ係止凸部５１ｂが設けられている。キャップ周壁５１ａの上端の頂板５８の下面からは、小口径筒部５５ａの外周面に係合する短円筒状のシール筒片５１ｃが垂下設している。頂板５８の中央部には押さえ部５８ａを設け、小口径筒部５５ｂの上端面に当接させて密閉している。キャップ周壁５１ａの第１ヒンジ部５４ａに対向する位置には、操作部５８ｂが設けられている。
【００３３】
第２の実施形態による詰め替え容器６を、図６〜図８に示される使用方法を説明しながら、その作用及び機能を説明する。
【００３４】
第２の実施形態での漏斗体２は、下方に向かって縮径した漏斗壁２１の下方部に導出部２４の上端部となる導出頂壁２４ｂを有し、導出頂壁２４ｂから上方に複数の支持部材２６を延設している。円筒状の導出部２４は下端開口を有し、その開口は液体Ｌを容器４内に注ぎ入れる流出口２４ａとなる。導出頂壁２４ｂの外端縁下面からは複数の連結片２８が垂下設され、連結片２８の下部内面から連結片凸部２８ａが突設し、キャップ係止凹部５３ｄに係止することができる。また、漏斗壁２１には段差部２２を設けている。
【００３５】
フロート体３は、円筒状のフロート胴部３１に下端開口を有し、フロート胴部３１の上部に板部材を交差させ平面視で略十字状に配置する軸部材３４を起立設しており、軸部材３４の上端面中央部にストッパー片３４ａが突設している。フロートキャップ３３の周壁部３３ａが、軸部材３４の上部外面に密に嵌合し、周壁部３３ａの上端の天壁部３３ｃは中央部に開口部を有し、ストッパー片３４ａの頭部が天壁部３３ｃの開口部から突出している。ストッパー片３４ａの頭部には、開口部より拡径した鍔部を設けてフロートキャップ３３の上方への抜けを防止させ、鍔部の上部を徐々に縮径させることで天壁部３３ｃの開口部に嵌入させ易くさせている。フロートキャップ３３の下端部は、支持部材２６の上端面に載置することができる。フロート胴部３１の開口を塞ぐように別体のキャップ部材を嵌合させても構わない。
【００３６】
最初に、第２ヒンジ部５４ｂを介して中段キャップ５２を開蓋させ詰め替え口５６を開口させる。そして、詰め替え口５６からフロート胴部３１及び導出部２４を挿入し、連結片凸部２８ａをキャップ係止凹部５３ｄに係止させフロート付き漏斗状部材１が安定した状態で、図６に示される様に、漏斗体２の開口から液体Ｌを漏斗壁２１上に注入する。漏斗体２に液体Ｌを注入すると、液体Ｌは支持部材２６、２６間の図示されていない導入口２５を経由し、導出部２４の下端の流出口２４ａから容器４の内部に注がれる。また、フロート胴部３１に起立設された略十字状の軸部材３４により、導出部２４内の液体Ｌは流れ易くなっている。
【００３７】
液体Ｌの注入を続け容器４内の液面が上昇してくるとフロート胴部３１に浮力が生じて、フロート体３は徐々に上昇し始める。フロート体３が上昇し続けると、図７に示される様に、フロート胴部３１の上端部と導出部２４の下端部は密に当接し、これによって流出口２４ａは閉塞された状態となり液体Ｌの注入が一時的に停止し、漏斗体２の漏斗壁２１内面に液体Ｌが溜まる。この漏斗体２内に液体Ｌが溜まる状態で、液体Ｌを段差部２２まで注ぎ入れる。この時、容器４内の液体Ｌの液面高さは、胴部４１中頃である。
【００３８】
その後、図８に示される様に、連結片凸部２８ａとキャップ係止凹部５３ｄの係止を解除させ、フロート付き漏斗状部材１を上方に持ち上げると、フロート胴部３１と導出部２４の間に流出口２４ａが再び開口する。そして、漏斗壁２１内面で段差部２２の高さまで溜まっていた液体Ｌは、流出口２４ａから容器４内部に注がれ、最終的に容器４は適量の液体Ｌで満たすことができる。
【００３９】
この様に第２の実施形態においては、容器４内部を覗き込み液面高さを確認しなくてもよいため作業性が良好であり、漏斗体２の段差部２２の設置位置を変更することによって、漏斗壁２１の内面に溜める液量を適宜変更できるため、容器４から液体Ｌが溢れ出ることを防止することができる。
【００４０】
以上、実施例に沿って本発明の構成とその作用効果について説明したが、本発明の実施の形態は上記実施形態に限定されるものではない。
例えば上記第１実施形態では、フロート胴部３１の下端内面にフロートキャップ３３の周壁部３３ａを挿入させて嵌合しているが、アンダーカット状に嵌合させたり、ネジ部によるネジ嵌合とさせても構わない。
また、上記第２実施形態では、軸部材３４を平面視で略十字状形状としたが導出部２４の内部で液体Ｌを通過できる形状であれば適宜変更可能であり、そしてフロートキャップ３３をストッパー片３４ａで嵌合しているが、アンダーカット状に嵌合させたり、ネジ部によるネジ嵌合とさせても構わない。
更に、漏斗壁２１の内面、特に段差部２２近傍に目盛りや印などの表示部を設けてもよい。
【産業上の利用可能性】
【００４１】
以上説明したように、本発明の詰め替え容器によれば、容器内部を覗き込み液面高さを確認しなくよいため作業性が良好であり、また、容器から液体が溢れ出ることを防止できるため、用途展開をさらに広い領域で図ることができる。
【符号の説明】
【００４２】
１    ；フロート付き漏斗状部材
２    ；漏斗体
３    ；フロート体
４    ；容器本体
５    ；キャップ体
６    ；詰め替え容器
２１  ；漏斗壁
２２  ；段差部
２３  ；外フランジ部
２４  ；導出部
２４ａ；流出口
２４ｂ；導出頂壁
２５  ；導入口
２６  ；支持部材
２７  ；リング部材
２８  ；連結片
２８ａ；連結片凸部
３１  ；フロート胴部
３２  ；フロート天板
３３  ；フロートキャップ
３３ａ；周壁部
３３ｂ；底壁部
３３ｃ；天壁部
３４  ；軸部材
３４ａ；ストッパー片
４１  ；胴部
４２  ；肩部
４３  ；口筒部
４４  ；ネジ部
４５  ；係止凹部
５１  ；上段キャップ
５２  ；中段キャップ
５３  ；下段キャップ
５１ａ、５２ａ、５３ａ；キャップ周壁
５１ｂ、５２ｂ、５３ｂ；キャップ係止凸部
５１ｃ、５２ｃ、５３ｃ；シール筒片
５１ｄ、５２ｄ、５３ｄ；キャップ係止凹部
５２ｅ、５３ｅ；フランジ壁
５２ｆ；シール突部
５４  ；ヒンジ部
５４ａ；第１ヒンジ部
５４ｂ；第２ヒンジ部
５５  ；口筒片
５５ａ；小口径筒片
５５ｂ；大口径筒片
５６  ；詰め替え口
５７  ；吐出口
５８  ；頂板
５８ａ；押さえ部
５８ｂ；操作部
Ｌ    ；液体
【図１】
2018203312.tif 000003
【図２】
2018203312.tif 000004
【図３】
2018203312.tif 000005
【図４】
2018203312.tif 000006
【図５】
2018203312.tif 000007
【図６】
2018203312.tif 000008
【図７】
2018203312.tif 000009
【図８】
2018203312.tif 000010